(57)【要約】【課題】リンキングルールの制約等によりＳＰＳの手法を導入できないような書き換え可能な光学情報記録媒体に対し、シンクパターンをダイレクト・オーバライトしても、記録媒体の劣化を防止することができる記録装置及び記録方法を提供する。【解決手段】同期信号及びユーザデータからなるセクタの開始を示す３２ビットのシンクコードＳＹ０は、２つのＳｙｎｃ  Ｓｔａｔｅ（Ｐｒｉｍａｒｙ  Ｓｙｎｃ  ＳｔａｔｅとＳｅｃｏｎｄａｒｙ  Ｓｙｎｃ  Ｓｔａｔｅ）とを有し、各Ｓｙｎｃ  Ｓｔａｔｅは、Ｓｔａｔｅ１  ｏｒ  Ｓｔａｔｅ２と、その記録データの極性を反転させたＳｔａｔｅ３  ｏｒ  Ｓｔａｔｅ４とを有している。記録装置は、この４通りのシンクパターンを示すテーブルを記憶しておき、セクタを記録する際には、シンクパターン（Ｓｙｎｃ  Ｓｔａｔｅ）をテーブルからランダムに選択し、更に選択したパターンの極性をランダムに反転する。【選択図】  図３
2005011448.tif 000002
【特許請求の範囲】
【請求項１】
書き換え可能な記録層を有する光学的情報記録媒体に対して光ビームを照射し、該記録層の状態を変化させて２値化データを記録する記録装置において、
上記記録層に光ビームを照射してデータを記録する記録手段と、
上記記録手段を制御する制御手段とを有し、
上記制御手段は、ユーザデータの同期信号を記録する際には、該同期信号を示す複数のシンクパターンから１のパターンをランダムに選択し記録させる
ことを特徴とする記録装置。
【請求項２】
上記制御手段は、同期信号を記録する際には、上記複数のシンクパターンからランダムに選択した１のパターンの理論をランダムに反転させて記録させる
ことを特徴とする請求項１記載の記録装置。
【請求項３】
上記制御手段は、同期信号を記録する際には、上記選択した１のパターンの記録開始位置をランダムにずらして記録させる
ことを特徴とする請求項１記載の記録装置。
【請求項４】
上記制御手段は、上記同期信号に続くユーザデータを記録する際には、記録するユーザデータの論理をランダムに反転させて記録させる
ことを特徴とする請求項１記載の記録装置。
【請求項５】
上記制御手段は、上記同期信号に続くユーザデータを記録する際には、記録するユーザデータの記録開始位置をランダムにずらして記録させる
ことを特徴とする請求項１記載の記録装置。
【請求項６】
上記制御手段は、上記光学的情報記録媒体の盤面上のランドプリピットに対し、上記ユーザデータの同期信号を示す上記シンクパターンを１４Ｔの範囲内に記録させる
ことを特徴とする請求項１記載の記録装置。
【請求項７】
上記制御手段は、ウォブル信号の理論上のスタート位置に対し、ユーザデータの同期信号を示すシンクパターンを±５Ｔの範囲内に記録させる
ことを特徴とする請求項１記載の記録装置。
【請求項８】
書き換え可能な記録層を有する光学的情報記録媒体に対して光ビームを照射し、該記録層の状態を変化させて２値化データを記録する記録方法において、
ユーザデータの同期信号を記録する際には、該同期信号を示す複数のシンクパターンから１のパターンをランダムに選択し記録させる
ことを特徴とする記録方法。
【請求項９】
同期信号を記録する際には、上記複数のシンクパターンからランダムに選択した１のパターンの理論をランダムに反転させて記録させる
ことを特徴とする請求項８記載の記録方法。
【請求項１０】
同期信号を記録する際には、上記選択した１のパターンの記録開始位置をランダムにずらして記録させる
ことを特徴とする請求項８記載の記録方法。
【請求項１１】
上記同期信号に続くユーザデータを記録する際には、記録するユーザデータの論理をランダムに反転させて記録させる
ことを特徴とする請求項８記載の記録方法。
【請求項１２】
上記同期信号に続くユーザデータを記録する際には、記録するユーザデータの記録開始位置をランダムにずらして記録させる
ことを特徴とする請求項８記載の記録方法。
【請求項１３】
上記光学的情報記録媒体の盤面上のランドプリピットに対し、上記ユーザデータの同期信号を示す上記シンクパターンを１４Ｔの範囲内に記録させる
ことを特徴とする請求項８記載の記録方法。
【請求項１４】
ウォブル信号の理論上のスタート位置に対し、ユーザデータの同期信号を示すシンクパターンを±５Ｔの範囲内に記録させる
ことを特徴とする請求項８記載の記録方法。
【発明の詳細な説明】
【０００１】
【発明の属する技術分野】
本発明は、書き換え可能なＤＶＤ（Ｄｉｇｉｔａｌ  Ｖｅｒｓａｔｉｌｅ  Ｄｉｓｃ）等の光学的情報記録媒体にレーザを照射してデータを記録する記録装置及び記録方法に関し、特に、ダイレクト・オーバライトによる媒体劣化の防止を図った記録装置及び記録方法に関する。
【０００２】
【従来の技術】
ＣＤ−ＲＷ（Ｃｏｍｐａｃｔ  Ｄｉｓｃ−Ｒｅｗｒｉｔａｂｌｅ）、ＤＶＤ−ＲＷ、ＤＶＤ＋ＲＷ、ＤＶＤ−ＲＡＭ（ＤＶＤ−Ｒａｎｄｏｍ  Ａｃｃｅｓｓ  Ｍｅｍｏｒｙ）等に代表される書き換え型の光記録媒体の光記録再生装置において、光記録媒体の同一箇所に対して繰り返し新しい信号の重ね書き（ダイレクト・オーバライト）を行うと記録特性が劣化する。このような問題に対し、従来、記録データの開始位置を盤面上でランダムにずらす手法（Ｓｔａｒｔ  Ｐｏｉｎｔ  Ｓｈｉｆｔ：ＳＰＳ）等を用いることで、ダイレクト・オーバライト特性を改善することができることが知られている。ＳＰＳは、記録開始位置をずらすことでディスクの寿命を改善するものであり、ずらし量（ＳＰＳの長さ）が最長の記録マーク長又は記録スペース長の長さ（ＣＤの場合は１１Ｔ、ＤＶＤの場合は１４Ｔ）よりも、十分に大きく取れる場合には改善性が高まる。
【０００３】
また、ダイレクト・オーバライト特性を改善する技術としては、例えば、下記特許文献１に記載の技術のように、通常プリピットから形成されるヘッダ領域と、同期を取るための同期信号及びユーザデータ領域からなるデータ記録領域との間にガードデータを記録するガードデータ記録領域を設けることにより、記録の繰り返しにより発生する媒体劣化が同期の信号領域を短くすることを防ぐ技術や、下記特許文献２に記載の技術のように、メディアの劣化の軽減を図り、所定の長さの記録データブロックの記録時、記録データブロックの先端部又は後端部に予め設定した長さのデータを追加したり削ったりする技術等がある。
【０００４】
ところで、ＤＶＤにおいては、記録（再生）時のリンキングルール（Ｌｉｎｋｉｎｇ  Ｒｕｌｅ）はフォーマットブックで下記の様に定義されている（ＤＶＤ−ＲＷにおけるリンキングルール及びＤＶＤ＋ＲＷにおけるリンキングルールは、夫々ＤＶＤ  Ｓｐｅｃｉｆｉｃａｔｉｏｎ  Ｒｅ−ｒｅｃｏｒｄａｂｌｅ  ｄｉｓｃ  ｐａｒｔ１，Ｐｈｙｓｉｃａｌ  ｓｐｅｃｉｆｉｃａｔｉｏｎ  ｖ１．１，”４．２  Ｓｅｃｔｏｒ  Ｓｔｒｕｃｔｕｒｅ”、及びＤＶＤ＋ＲＷ  ４．７ＧＢ  Ｂａｓｉｃ  Ｆｏｒｍａｔ  Ｓｐｅｃｉｆｉｃａｔｉｏｎ  ｖ１．１，”１３．７  Ｌａｙｏｕｔ  ｏｆ  Ｒｅｃｏｒｄｉｎｇ  Ｕｎｉｔ（ＲＵＮ）”参照）。
【０００５】
（Ａ）ＤＶＤ−ＲＷの場合、記録データのシンク（Ｓｙｎｃ）パターン１４Ｔの範囲内に盤面上のアドレス情報のシンクパターンＬＰＰＳｙｎｃがなくてはならない
（Ｂ）ＤＶＤ＋ＲＷの場合、リンキングポイントにおいて記録データのシンクパターンが±５Ｔの範囲になくてはならない
【０００６】
次に、このような書き換え又は追記可能な記録系ＤＶＤディスクにおけるリンキングルールについて詳細に説明する。先ず、上記（Ａ）に示すＤＶＤ−Ｒ／ＲＷ規格におけるリンキングルールについて説明する。なお、ＤＶＤ−Ｒ／ＲＷにおいては、現在、リンキングロス（追記や書き換えに伴うユーザデータのロス）領域に関しては、３２Ｋバイト、２Ｋバイト、０バイト（ロスレスリンキング）の３種類が規定されており、以下の手法を用いることにより、リンキングロスを最小にすることが可能である。
【０００７】
図５は、ＤＶＤ−Ｒ／ＲＷフォーマットにおける記録データの同期信号とランドプリピット（Ｌａｎｄ  Ｐｒｅ−Ｐｉｔ：ＬＰＰ）アドレスの同期信号との関係を示す概念図である。図５に示すように、グルーブウォブル信号はサイン波状の信号（チャンネルビットクロック２６．１６ＭＨｚの１／１８６Ｔ）Ｓ１として得られる。他方、ランドプリピット（ＬＰＰ）信号ＬＰＰＳｙｎｃは、各シンクフレームＦｎの間の８ウォブルのうち最初のウォブルの３頂点Ｓ２１〜Ｓ２３に位置し３ビットで１セットを構成する。このうち先頭のデータＳ２１は記録信号との同期を取るための同期パターンとなる。
【０００８】
ＤＶＤ−Ｒ／ＲＷ規格では、このプリピットＬＰＰＳｙｎｃの位置によって記録クロックの位相補正を行いつつユーザデータを記録するため、記録データの同期パターンの範囲１４Ｔ以内にＬＰＰアドレスの同期を行うことで高精度な追記や書き換えが可能となっている。即ち、ＤＶＤ−Ｒ／ＲＷにおいては、記録データのシンク（Ｓｙｎｃ）パターン１４Ｔの範囲内に盤面上のアドレス情報のシンクパターンＬＰＰＳｙｎｃがなくてはならない。
【０００９】
次に、上記（Ｂ）に示すＤＶＤ＋Ｒ／ＲＷ規格におけるリンキングルールについて説明する。なお、現在、リンキングロス（追記や書き換えに伴うユーザデータのロス）領域に関しては０バイト（ロスレスリンキング）の１種類のみが規定されており、以下の手法を用いることにより「ロスレス・リンク」が可能となっている。
【００１０】
図６は、ＤＶＤ＋Ｒ／ＲＷフォーマットにおける記録データの同期信号とＡＤＩＰ（Ａｄｄｒｅｓｓ  ｉｎ  Ｐｒｅ−ｇｒｏｏｖｅ）アドレスの同期信号との関係を示す概念図である。図６に示すように、グルーブウォブル信号はサイン波状の信号Ｓ３（チャンネルビットクロック２６．１６ＭＨｚの１／３２Ｔ）に位相変調が施されたアドレスフォーマットとなっている。ここで、Ｐ２は実際のスタート位置を示し、Ｐ３は理論的なスタート位置を示す。
【００１１】
ＤＶＤ＋Ｒ／ＲＷ規格では、位相変調された位置（例えばウォブル信号のゼロクロス点Ｐ１）によって記録クロックであるウォブル信号Ｓ３の位相補正を行いつつユーザデータＤ１を記録し、記録データの同期パターンの範囲±５Ｔ以内にＡＤＩＰアドレスの同期を行うことで、高精度な追記や書き換えが可能となっている。即ち、ＤＶＤ＋Ｒ／ＲＷにおいては、グルーブウォブル信号における理論的なスタート位置Ｐ３に対し、記録データのシンクパターンの記録が開始される実際のスタート位置Ｐ２が±５Ｔの範囲になくてはならない。
【００１２】
【特許文献１】
特許３０３１３８１号公報
【特許文献２】
特開２０００−３５７３２８号公報
【００１３】
【発明が解決しようとする課題】
しかしながら、ＤＶＤ−ＲＷ又はＤＶＤ＋ＲＷ等は、上述したリンキングルールの制約と、シフト可能な記録データ長が最大マーク長、又は最大スペース長よりも十分長く取れないという制約上、上述の特許文献１に記載の技術のようにガードデータ記録領域を設けることはできない。また、特許文献２に記載の技術のように、記録の度に記録データの前又は後ろにデータを追加したり、又はデータを削ったりするのは処理が極めて複雑である。
【００１４】
更に、このようなリンキングルールの制約上、記録データのシフト可能な開始位置の範囲が限られてしまい、ＳＰＳを導入しても実質的なオーバーライト特性の改善効果はあまり見られない。仮にＳＰＳを導入した場合には、リンキングが正しく行われなくなってしまい、以下の問題が生じる。即ち、ＤＶＤ−Ｒ／ＲＷ規格、ＤＶＤ＋Ｒ／ＲＷ規格では上記リンキングルールに基づき記録を行なうが、リンキングが正しく行われない場合、光記録再生装置の以下の基本動作ができなくなる。
【００１５】
（１）同期が正しく取れなくなりディスク回転制御が不定になる
（２）追加記録、または再生が正しくできなくなる
（３）盤面上の絶対アドレス情報と記録データに含まれるアドレス情報とにずれが生じてしまう
【００１６】
一方で、フォーマットブック上のオーバーライト回数は１０００回以上と定義されている。これは、「ランダムパターン」で記録された同一箇所を「ランダムパターン」でオーバーライトする場合であり、盤面上の同じ位置に記録されたデータを同一データで記録する「固定パターン」のオーバーライトの場合には記録膜の劣化が早く、実質２００回程度しか記録ができないのが実情である。
【００１７】
このように、ＳＰＳを導入しない場合、繰り替えしのオーバーライトにより媒体が劣化してしまう。即ち、このようなリンキングルールを有する光記録媒体においては、シンクパターン（同期信号）のように固定パターンを記録する際、ＳＰＳの手法を導入することができず、また導入してもそれほど媒体劣化を防止することができず、シンクパターンを記録する部分の媒体劣化が早いという問題点がある。
【００１８】
本発明は、このような従来の実情に鑑みて提案されたものであり、リンキングルールの制約等によりＳＰＳの手法を導入できないような書き換え可能な光学情報記録媒体に対し、シンクパターンをダイレクト・オーバライトしても、記録媒体の劣化を防止することができる記録装置及び記録方法を提供することを目的とする。
【００１９】
【課題を解決するための手段】
上述した目的を達成するために、本発明に係る記録装置は、書き換え可能な記録層を有する光学的情報記録媒体に対して光ビームを照射し、該記録層の状態を変化させて２値化データを記録する記録装置において、上記記録層に光ビームを照射してデータを記録する記録手段と、上記記録手段を制御する制御手段とを有し、上記制御手段は、ユーザデータの同期信号を記録する際には、該同期信号を示す複数のシンクパターンから１のパターンをランダムに選択し記録させることを特徴とする。
【００２０】
本発明においては、同期信号を示すシンクパターンを複数用意し、同期信号を記録する際には、複数のシンクパターンから１のパターンをランダムに選択して記録することにより、同期信号のように、記録の度に同様の位置に繰り返しオーバーライトしても、毎回異なるパターンを記録することができ、記録膜の劣化を低減する。
【００２１】
また、上記制御手段は、同期信号を記録する際には、上記複数のパターンからランダムに選択した１のパターンの理論をランダムに反転させて記録させることが好ましく、選択したパターンの理論を反転することで、記録される領域と記録されない領域とを全く逆にすることができ、更に記録膜の劣化を低減する。
【００２２】
更に、上記制御手段は、同期信号を記録する際には、上記選択した１のパターンの記録開始位置をランダムにずらして記録させてもよく、記録開始位置をずらすことで更に記録膜の劣化を低減する。
【００２３】
更にまた、上記制御手段は、上記同期信号に続くユーザデータを記録する際には、記録するユーザデータの論理をランダムに反転させて記録させることができ、これにより、ユーザデータが固定パターンである場合などにおけるユーザデータ領域の記録膜の劣化を防止する。
【００２４】
また、上記制御手段は、上記同期信号に続くユーザデータを記録する際には、記録するユーザデータの記録開始位置をランダムにずらして記録させてもよく、ユーザデータ領域においても記録開始位置をずらすことで、更に記録膜の劣化を防止する。
【００２５】
更に、上記制御手段は、上記光学的情報記録媒体の盤面上のランドプリピットに対し、上記ユーザデータの同期信号を示す上記シンクパターンを１４Ｔの範囲内に記録させる例えばＤＶＤ−ＲＷ等や、ウォブル信号の理論上のスタート位置に対し、ユーザデータの同期信号を示すシンクパターンを±５Ｔの範囲内に記録させる例えばＤＶＤ＋ＲＷ等のようにリンキングルールの制約上、記録開始位置がそれほどずらせないような場合のオーバーライト特性を改善することができる。
【００２６】
また、上述した目的を達成するために、本発明に係る記録方法は、書き換え可能な記録層を有する光学的情報記録媒体に対して光ビームを照射し、該記録層の状態を変化させて２値化データを記録する記録方法において、ユーザデータの同期信号を記録する際には、該同期信号を示す複数のシンクパターンから１のパターンをランダムに選択し記録させることを特徴とする。
【００２７】
【発明の実施の形態】
以下、本発明を適用した具体的な実施の形態について、図面を参照しながら詳細に説明する。この実施の形態は、本発明を、ＤＶＤ−ＲＷやＤＶＤ＋ＲＷ等の書き換え可能な光ディスクに対してデータを記録するデータ記録装置であって、固定パターンをダイレクト・オーバライトしても光ディスクの記録膜の特性劣化の防止を低減することができるデータ記録装置に適用したものである。
【００２８】
〔装置概要〕
図１は、本発明の実施の形態における２層記録に対応した記録再生装置（ＣＤ／ＤＶＤ±Ｒ／ＲＷドライブ）を示すブロック図である。なお、ここでは、記録再生装置について説明するが、記録装置であってもよいことは勿論である。
【００２９】
図１に示す本実施の形態における光ディスク記録再生装置１０１は、ホストコンピュータから与えられるデータを光学的情報記録媒体としての光ディスク１０２に記録したり、これを光ディスク１０２から再生したりすることができるようになされている。この光ディスク１０２は、書き換え可能な相変化型の記録媒体であって、例えば複数の記録層を有し、各記録層の内周側及び外周側に記録パワーの調整用の試し書き（Ｏｐｔｉｍｕｍ  Ｐｏｗｅｒ  Ｃａｌｉｂｒａｔｉｏｎ  ：ＯＰＣ）をするデータが書き込まれる試し書き領域（Ｐｏｗｅｒ  Ｃａｌｉｂｒａｔｉｏｎ  Ａｒｅａ：ＰＣＡ）を有したものであってもよい。
【００３０】
本実施の形態における光ディスク記録再生装置１０１は、ホストコンピュータ１０３、システム制御部１０４、バッファメモリ１０５、記録信号処理部１０６、光ピックアップ１０７、ＲＦ信号処理部１０８、レーザ出力設定部１０９、サーボ制御部１１０、スピンドルモータ１１１、回転制御部１１２、デコード部１１４とを有する。
【００３１】
即ち、かかる光ディスク記録再生装置１０１においては、記録モード時、ホストコンピュータ１０３から順次与えられるデータをシステム制御部１０４内のインターフェース部（ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、ＵＳＢ（Ｕｎｉｖｅｒｓａｌ  Ｓｅｒｉａｌ  Ｂｕｓ）等）を介して内部に取り込み、これをシステム制御部１０４内のエンコーダ部を介してバッファメモリ１０５に順次格納するようになされている。
【００３２】
システム制御部１０４内のエンコーダ部は、図示しないレイヤードＥＣＣ（Ｅｒｒｏｒ  Ｃｏｒｒｅｃｔｉｎｇ  Ｃｏｄｅ）付加処理部、ＣＩＲＣ（Ｃｒｏｓｓ  ｉｎｔｅｒｌｅａｖｅ  Ｒｅａｄ−Ｓｏｌｏｍｏｎ  Ｃｏｄｅ）エンコード処理部、及びＥＳＭ（８−１６変調、Ｅｉｇｈｔ  ｔｏ  Ｓｉｘｔｅｅｎ  Ｍｏｄｕｌａｔｉｏｎ）変調処理部から構成され、バッファメモリに格納したデータをセクタ単位で順次読み出し、当該データにレイヤードＥＣＣ付加部において誤り訂正符号を付加すると共に、ＣＩＲＣエンコード処理部においてＣＩＲＣエンコード処理及び同期データの挿入処理を施し、更にＥＳＭ変調処理部においてＥＳＭ変調処理を施した後、かくして得られた書き込みデータを記録信号処理部１０６を介して光ピックアップ１０７に送出する。
【００３３】
光ピックアップ１０７は、図示しないレーザダイオード、コリメータレンズ、対物レンズ及び受光素子などの光学系デバイスと、レーザダイオードドライバー等の電気系デバイスとを有し、供給される書き込みデータに応じて変調した光ビームを光ディスク１０２の記録面に照射する。
【００３４】
また、このときの光ピックアップ１０７は、光ディスク１０２からの反射光に基づいて、ＲＦ信号処理部１０８にてトラッキングエラー信号及びフォーカスエラー信号等のサーボエラー信号とプッシュプル信号とを生成する。ＲＦ信号処理部１０８は、サーボエラー信号をサーボ制御部１１０に送出すると共に、プッシュプル信号の帯域制限及びゲイン調整等の処理を行った後、これをＬＰＰ（Ｌａｎｄ  Ｐｒｅ−Ｐｉｔ）／ＡＤＩＰ（Ａｄｄｒｅｓｓ  ｉｎ  Ｐｒｅ−ｇｒｏｏｖｅ）アドレス・デコーダ部１１４に送出する。
【００３５】
レーザ出力設定部１０９は、ＲＦ信号処理部１１０から記録データが入力され、この記録データに応じて光ピックアップ１０７のレーザダイオードのレーザパワーを設定する。
【００３６】
サーボ制御部１１０は、供給されるサーボエラー信号に基づいてスピンドルドライバ（回転制御部）１１２を介してスピンドルモータ１１１を制御することにより、光ディスク１０２を所定速度で回転駆動する。スピンドルモータ１１２は、例えば、ターンテーブルやチャッキング機構によって保持されている光ディスク１０２を回転駆動する。回転制御部１１３は、システム制御部１０４からの制御に応じて、スピンドルモータ１１２の駆動制御を行う。
【００３７】
また、サーボ制御部１１０は、サーボエラー信号に基づいてスレッドドライバを介してスレッドモータを制御することにより、光ディスク１０２上の光ビームのビームスポット（以下、単にビームスポットという。）を光ディスク１０２の記録面に形成されたデータトラック（プリグルーブ又はランド）に沿って当該光ディスク１０２の径方向に移動させる。更にサーボ制御部１１０は、サーボエラー信号に基づいて２軸アクチュエータードライバを介して光ピックアップ１０７内の図示しない２軸アクチュエーターを制御することにより、トラッキング制御及びフォーカス制御を行なう。
【００３８】
一方、ＬＰＰ／ＡＤＩＰアドレスデコード部１１４は供給されるプッシュプル信号をデコード処理することにより、光ディスクにおけるそのときどきのビームスポットの絶対番地を検出し、ＤＶＤ−Ｒ及びＤＶＤ−ＲＷの場合にはＬＰＰ信号を、ＤＶＤ＋Ｒ及びＤＶＤ＋ＲＷの場合にはＡＤＩＰ信号のアドレス情報をシステム制御部１０４のＣＰＵ（Ｃｅｎｔｒａｌ  Ｐｒｏｃｅｓｓｉｎｇ  Ｕｎｉｔ）に送出する。
【００３９】
また、ＬＰＰ／ＡＤＩＰアドレスデコード部１１４は、上述のようなデコード処理により得られる光ディスク１０２上での絶対番地が変化する毎、即ち光ディスク１０２におけるビームスポットが走査するセクタが変わる毎に、これを知らせるシンク割り込み信号をシステム制御部１０４内のＣＰＵへ送出する。
【００４０】
かくしてシステム制御部１０４内のＣＰＵは、ＬＰＰ／ＡＤＩＰデコーダ部１１４から与えられる絶対時間情報信号及びシンク割込信号に基づいて、光ディスク１０２におけるその時の記録位置を順次認識し、当該認識結果に基づいて記録データを正しく光ディスク１０２に記録し得るように、必要な制御処理を実行する。
【００４１】
これに対して再生モード時、システム制御部１０４内ＣＰＵは、サーボ制御部１１０を制御することにより、上述の記録モード時と同様にして、光ディスク１０２を所定速度で回転駆動させると共に、ビームスポットを光ディスク１０２のデータトラックに沿って移動させ、且つトラッキング制御及びフォーカス制御を行なわせる。
【００４２】
またシステム制御部１０４のＣＰＵは、上述した光ピックアップ１０７内のレーザダイオードを駆動させることにより光ビームを光ディスク１０２に向けて照射させる。この結果この光ビームが光ディスク１０２の記録面において反射し、その反射光に基づき得られるＲＦ信号でなる光ディスク１０２から読み出された読み出しデータが光ピックアップ１０７からＲＦ信号処理部１０８を介してシステム制御部１０４内のデコーダ部に与えられる。
【００４３】
デコーダ部は、図示しないＰＬＬ（Ｐｈａｓｅ  Ｌｏｃｋｅｄ  Ｌｏｏｐ）回路、同期データ検出部、ＥＳＭ復調部、ＣＩＲＣデコード部及びレイヤードＥＣＣ復調部から構成されており、ＰＬＬ回路において供給される読み出しデータと共に同期検出部に送出される。
【００４４】
同期データ検出部は、供給されるクロックＣＬＫに基づいて、上述した同期データのデータパターンよりも前後に所定ビットずつ大きいパルス幅の同期データ検出用のウインドウパルスを生成する。そして同期データ検出部は、この同期データ検出用ウインドウパルスを順次検出すると共に、検出結果に基づいて、読み出しデータを所定単位で順次ＥＳＭ復調部へ送出する。
【００４５】
そしてこの読み出しデータは、この後ＥＳＭ復調部においてＥＳＭ復調処理され、ＣＩＲＣでコード部においてＣＩＲＣ複号化処理され、さらにレイヤードＥＣＣ復調部において誤り訂正処理が施されることにより記録前のフォーマットのデータに変換され、この後インターフェース回路を介してホストコンピュータ１０３に送出される。
【００４６】
このようにしてこの光ディスク装置１０１では、ホストコンピュータ１０３から与えられるデータを光ディスク１０２に記録したり、当該光ディスク１０２に記録されているデータを再生してホストコンピュータ１０３に送出したりすることができるようになされている。
【００４７】
〔データ記録方法〕
次に、記録再生装置１０１のデータ記録方法について説明する。なお、ここでは、リンキングルールに制約があるＤＶＤ−ＲＷ又はＤＶＤ＋ＲＷ（以下、ＤＶＤ±ＲＷという。）への記録方法について説明するが、光学的情報媒体は、ＤＶＤ−ＲＷ及びＤＶＤ＋ＲＷに限らず、例えばリンキングルール以外の理由であっても、ＳＰＳの手法が導入できないようなものであれば本発明の効果を奏するものである。
【００４８】
上述した如く、ＤＶＤ−ＲＷにおいては、記録データのシンク（Ｓｙｎｃ）パターン１４Ｔの範囲内に盤面上のアドレス情報のシンクパターンＬＰＰＳｙｎｃがなくてはならず、ＤＶＤ＋ＲＷにおいては、リンキングポイントにおいて記録データのシンクパターンが±５Ｔの範囲になくてはならないというリンキングルールの制約上、即ち、記録再生装置における記録時の書き繋ぎ又は再生時の読み出しを円滑に行うためには、オーバーライト特性を十分に向上できるほど充分大きなＳＰＳの領域を設けることができない。ＳＰＳによりオーバーライト特性を向上させるためには、例えば２５６クロック以上のＳＰＳの領域を設けてデータの書き込み位置をずらす必要がある。
【００４９】
一方、上述したように、ＤＶＤフォーマットブックにおけるオーバーライト回数はＤＶＤ±ＲＷ、共に１０００回以上を保証しなければならないと定義されている。図２（ａ）乃至（ｃ）は、夫々ランダムパターン及び固定パターンによるオーバーライトの概念図を示す。図２（ａ）に示すように、１ＥＳＭ（Ｅｉｇｈｔ  ｔｏ  Ｓｉｘｔｅｅｎ  Ｍｏｄｕｌａｔｉｏｎ）シンクフレーム（１４８８Ｔ）が、ＥＳＭシンクパターン（１８Ｔ）ＥＳＭＳｙｎｃと、ユーザデータ（１４７０Ｔ）ＵＤとからなる場合、通常は、図２（ｂ）に示すように、ユーザデータＵＤがランダムデータパターンのときに、記録前の信号の如何にかかわらず新しい信号を重ねがき（オーバーライト）する場合が想定されている。このような場合、オーバーライトが繰り返されるのは、ランダムなパターンからなるユーザデータであるため、オーバーライトを重ねても記録膜の劣化が遅い。即ち、同じ領域に同一の信号が何度も繰り返しオーバーライトされる確立が小さい。これに対して、図２（ｃ）に示すように、ユーザデータＵＤが例えばファイルシステムやアプリケーション等の固定データ、即ち固定パターンである場合は、盤面上の同じ位置に同一データをオーバーライト記録することになり、このような固定パターンによって何度もオーバーライトすると、図２（ｂ）に示すようなランダムパターンを繰り返しオーバーライトするよりも、記録膜の劣化が早く、従って実質２００回程度しかオーバーライトができない。
【００５０】
そこで、本願発明者等が鋭意研究した結果、ＳＰＳの手法を使用できないような場合であって、繰り返し決められたパターンであるユーザデータの同期信号を示すシンクパターン等を記録するような場合には、予め、この同期信号を示す複数のシンクパターンを用意し、これら複数のパターンから１のパターンをランダムに選択して記録すれば、ＳＰＳの手法を用いらなくても固定パターンのオーバーライト特性を改善することができることを見出した。
【００５１】
以下、本発明の実施の形態におけるオーバーライト特性を劣化させないシンクパターンの記録法方について詳細に説明する。ＤＶＤ±ＲＷ記録時の記録データは、上述の記録再生装置１０１においてＥＳＭ変調規則に従い変調がなされた後、記録信号処理部１０６を介して光ピックアップ１０７に送出される。この時、ＤＶＤではデータはＥＣＣ単位でデータが完結するブロック完結のため、記録用のデータパターンは通常、シンクコードＳＹ０から始まる。（ＥＳＭ変調規則についての詳細は、ＤＶＤ  Ｓｐｅｃｉｆｉｃａｔｉｏｎ  Ｒｅ−ｒｅｃｏｒｄａｂｌｅ  ｄｉｓｃ  ｐａｒｔ．１，Ｐｈｙｓｉｃａｌ  ｓｐｅｃｉｆｉｃａｔｉｏｎ  ｖ１．１，”３．２  Ｄａｔａ  Ｆｏｒｍａｔ”参照）。
【００５２】
図３は、追記時における記録開始シンクコードＳＹ０を示す模式図である。記録用のデータパターンを示す１つの物理セクタ（３８６８８チャンネルビット）は、１３×２＝２６シンクフレームからなり、１つのシンクフレームには、シンクパターンを示すシンクコード（３２ビット）及び１８２バイトのユーザデータ記録用の記録フレーム（１４５６ビット）が含まれる。シンクコードは、ＳＹ０〜ＳＹ７の７種類で、各シンクコードＳＹ０〜ＳＹ７は、４種類のシンクコード（Ｓｔａｔｅ１〜Ｓｔａｔｅ４）を有している。
【００５３】
セクタの開始を示す３２ビットのシンクコードＳＹ０は、図３（ａ）及び（ｂ）に示すように２つのＳｙｎｃ  Ｓｔａｔｅ、即ち図３（ａ）に示す第１の状態（Ｐｒｉｍａｒｙ  Ｓｙｎｃ  Ｓｔａｔｅ）と図３（ｂ）に示す第２の状態（Ｓｅｃｏｎｄａｒｙ  Ｓｙｎｃ  Ｓｔａｔｅ）とを有し、各Ｓｙｎｃ  Ｓｔａｔｅは、Ｓｔａｔｅ１  ｏｒ  Ｓｔａｔｅ２と、その記録データの極性（理論）を反転させたＳｔａｔｅ３  ｏｒ  Ｓｔａｔｅ４とを有している。このようにシンクパターンには、合計４通りのパターンがあることに着目し、本発明では、例えば図１に示しステム制御部１０４内にこの４通りのシンクパターンを示すテーブルを記憶しておき、このテーブルから記録を開始する場合の記録データパターンを以下の方法にて選択する。即ち、
（１）Ｓｙｎｃ  Ｓｔａｔｅ（第１の状態又は第２の状態）を各テーブルからランダムに選択する
（２）記録データの極性（正又は負）をランダムに反転する
（３）上記（１）＋（２）の組み合わせからランダムに選択する
【００５４】
このように、シンクパターンを複数のパターンからランダムに選択して記録することにより、リンキングルールを逸脱することなくオーバーライト特性を飛躍的に改善することができる。
【００５５】
即ち、従来は記録の度に同一のパターンを記録することになっていたシンクパターンに対し、記録の度にシンクコードのパターンをランダムに選択することで異なるパターンを記録することになり、同一パターンをオーバーライトすることに対する記録膜の劣化を低減することができる。
【００５６】
また、シンクコードのパターンをランダムに選択し、更に、その選択したパターンの極性をランダムに反転することにより、同一パターンであれば、常に記録されている領域と記録されていない領域とを全く逆転させることができるため、記録膜の劣化を低減することができる。
【００５７】
更に、シンクパターンに続くユーザデータにおいても、その極性をランダムに反転させてもよい。ユーザデータは、ファイルシステムやアプリケーション等で固定パターンである場合、上述したように、例えば、シンクパターンの極性に合わせてユーザデータの極性も反転させることができる。これにより、ユーザデータ領域においても記録特性を改善することができる。
【００５８】
更にまた、リンキングルールを逸脱しない範囲であれば、ＳＰＳの手法により、シンクパターンの記録開始位置及び／又はユーザデータの記録開始位置をずらして記録を行ってもよいことは勿論である。
【００５９】
なお、ここでは、固定パターンとして同期信号を示すシンクパターンを例にとって説明したが、同期信号以外の固定信号を記録する際にも、固定信号を示す複数のパターンをテーブル等に記憶しておき、これをランダムに選択したり、そのパターンの極性をランダムに反転させることで記録特性を改善することができる。
【００６０】
次に、図３に示すような複数のパターンからランダムに選択することでオーバーライト特性を改善した本発明の効果について説明する。図４は、本発明の効果を示す図であって、本発明を適用する前及び後におけるシンクパターンのオーバーライト特性の改善結果示すグラフ図である。図４において、縦軸は、８ＥＣＣブロックにおけるＰＩ（ｉｎｎｅｒ−ｃｏｄｅ  ｐａｒｉｔｙ）訂正のエラーレートを示し、横軸はオーバーライト回数（ＤＯＷ  Ｃｙｃｌｅ）を示す。ここで、ＰＩエラーレート＝ＥＲ＿ｔｈ＜２８０で、オーバーライト回数＝Ｃ＿ｔｈ＞１０００であることが規格上定められている。
【００６１】
図４において、×で示すデータは、固定パターンを使用してオーバーライトを繰り返した結果を示す。このように、固定パターンの記録を繰り返す場合、オーバーライト回数が２０回程度でエラーレートＥＲ＿ｔｈを超えてしまっている。
【００６２】
一方、■で示すデータは、図３に示すＳｙｎｃ  Ｓｔａｔｅの極性をランダムに反転させてオーバーライトを繰り返した結果を示す。このデータにおいては、スペックを超えないエラーレートＥＲ＿ｔｈとする場合、４００〜５００回程度のオーバーライトが可能となる。
【００６３】
また、〇で示すデータは、本発明を適用した結果を示すデータであって、図３に示すＳｙｎｃ  Ｓｔａｔｅの種類をランダムに選択してオーバーライトを繰り返した結果を示す。このデータにおいては、ほぼ１０００回程度のオーバーライトを繰り返してもスペックを超えないエラーレートＥＲ＿ｔｈとすることができる。
【００６４】
更に、▲で示すデータは、図３に示すＳｙｎｃ  Ｓｔａｔｅの種類をランダムに選択し、更にＳｙｎｃ  Ｓｔａｔｅの極性も合わせてランダムに選択した結果を示す。このデータにおいては、スペックを超えないエラーレートＥＲ＿ｔｈ未満で１０００回以上のオーバーライトが可能となっており、ＤＶＤフォーマットの規格に従うものとなっている。
【００６５】
なお、●で示すデータは、ランダムパターンをオーバーライトした結果を示すものである。このように、記録データがランダムパターンである場合には、２０００回程度のオーバーライトが可能となっている。
【００６６】
ここで、▲で示したデータ、即ち、パターンをランダムに選択し且つ極性もランダムに反転させるような場合に、上述したように、更にＳＰＳ等を合わせて行えば、エラーレートＥＲ＿ｔｈ未満で更にオーバーライト回数を増やすことができ、ランダムデータを記録した●で示す結果に近づく。
【００６７】
以上のような本実施の形態においては、光記録媒体に対してオーバーライト記録を行なう場合、記録データの同期信号用のデータパターン（シンクパターン）を複数用意し、記録の毎に、複数のパターンからランダムに選択することにより、記録特性を改善することができる。また、シンクパターンの論理を記録の毎にランダムに反転させることにより更に記録特性を改善することができる。更に、シンクパターンを示す２値化信号の記録開始位置を、リンキングルールを逸脱しない範囲内でランダムにずらすことにより、更に記録特性を改善することができる。更にまた、例えばシンクパターンの理論を反転さでた場合等に合わせて、シンクパターンに続く記録データ（ユーザデータ）の極性を反転させてもよく、例えばユーザデータであっても固定パターンとなるような場合には、オーバーライト特性を改善することができる。
【００６８】
【発明の効果】
以上詳細に説明したように本発明に係る記録装置及び方法は、書き換え可能な記録層を有する光学的情報記録媒体に対して光ビームを照射し、該記録層の状態を変化させて２値化データを記録する際、ユーザデータの同期信号を記録する際には、該同期信号を示す複数のシンクパターンから１のパターンをランダムに選択し記録させるので、同期信号のように、記録の度に同様の位置に繰り返しオーバーライトされるような信号であっても、毎回異なるパターンで記録することができ、記録膜の劣化を低減してオーバーライト特性を改善することができる。
【図面の簡単な説明】
【図１】本発明の実施の形態における２層記録に対応した記録再生装置（ＣＤ／ＤＶＤ±Ｒ／ＲＷドライブ）を示すブロック図である。
【図２】（ａ）乃至（ｃ）は、夫々ランダムパターン及び固定パターンによるオーバーライトの概念図を示す。
【図３】追記時における記録開始シンクコードＳＹ０を示す模式図である。
【図４】本発明の効果を示す図であって、本発明を適用する前及び後におけるシンクパターンのオーバーライト特性の改善結果示すグラフ図である。
【図５】ＤＶＤ−Ｒ／ＲＷフォーマットにおける記録データの同期信号とＬＰＰ（ランドプリピット）アドレスの同期信号との関係を示す概念図である。
【図６】ＤＶＤ＋Ｒ／ＲＷフォーマットにおける記録データの同期信号とＡＤＩＰアドレスの同期信号との関係を示す概念図である。
【符号の説明】
１０１  光ディスク記録再生装置、１０２  光ディスク、１０３  ホストコンピュータ、１０４  システム制御部、１０６  記録信号処理部、１０７  光ピックアップ、１０８  ＲＦ信号処理部、１１０  サーボ制御部、１１４  ＬＰＰ／ＡＤＩＰアドレスデコード部
【図１】
2005011448.tif 000003
【図２】
2005011448.tif 000004
【図３】
2005011448.tif 000005
【図４】
2005011448.tif 000006
【図５】
2005011448.tif 000007
【図６】
2005011448.tif 000008